(57)【要約】【課題】レベル表示具の高さ調節を行うことができると共に、調節済みのレベル表示具と未調節のレベル表示具とを見分けることを可能にする調節具を提供する。【解決手段】調節具１は、本体部２を備える。本体部２は、保持部２１と、保持部２１に形成され、レベル表示具１００に係合する係合部２２と、保持部２１に保持され、レベル表示具１００に接触してレベル表示具１００の外観を変化させる外観変化付与部３と、を備える。【選択図】図１
2019116820.tif 000002
【特許請求の範囲】
【請求項１】
コンクリート及びレベリング材の少なくとも一方の打設目標高さの目印を示すレベル表示具の高さ調節を行う調節具用の調節補助具であって、
保持部と、
前記保持部に形成され、前記レベル表示具に係合する係合部と、
前記保持部に保持され、前記レベル表示具に接触して前記レベル表示具の外観を変化させる外観変化付与部と、
を備えることを特徴とする調節補助具。
【請求項２】
前記外観変化付与部は、前記レベル表示具に外部から視認可能な目印を付与する、
請求項１に記載の調節補助具。
【請求項３】
前記外観変化付与部は前記保持部に着脱可能に保持されている、
請求項１又は２に記載の調節補助具。
【請求項４】
前記外観変化付与部は前記レベル表示具を着色する着色手段である、
請求項１から３のいずれか１項に記載の調節補助具。
【請求項５】
前記外観変化付与部は前記レベル表示具の形状を変化させる形状変化付与手段である、
請求項１から３のいずれか１項に記載の調節補助具。
【請求項６】
前記保持部は中空内部を有し、
前記外観変化付与部は、前記保持部の中空内部に保持されており、
前記保持部には、前記外観変化付与部の下端を外部から視認可能な貫通開口部が形成されている、
請求項１から５のいずれか１項に記載の調節補助具。
【請求項７】
ネジ部を有するレベル表示具本体と、前記レベル表示具本体に設けられ、コンクリート及びレベリング材の少なくとも一方の打設目標高さの目印を示す表示部と、を備えるレベル表示具を高さ調節するための調節具であって、
請求項１から６のいずれか１項に記載の調節補助具と、
前記調節補助具を回転させる駆動部と、
を備える、
ことを特徴とする調節具。
【発明の詳細な説明】
【技術分野】
【０００１】
本発明は、レベル表示具の高さを調節するための調節具、及び当該調節具用の調節補助具に関する。
【背景技術】
【０００２】
コンクリート基礎等のコンクリート構造物を施工する際には、コンクリートやレベリング材を流し込む目標高さを表示する目印が必要である。このような目印としては、例えば特許文献１に開示されたレベル表示具２０や特許文献２に開示された目印体１２が存在する。
【０００３】
特許文献１のレベル表示具２０は、生コンの打設高さを示す目印２１と、レベリング材の高さを示す目印２２と、ネジ部２３とを備えている。レベル表示具２０のネジ部２３は天端出し補助具１０の部分ネジ１２ｃと螺合している。レベル表示具２０は、目印２１及び目印２２を打設目標高さに合わせるために、高さ調節される必要がある。レベル表示具２０の高さ調節を行う場合には、調節具を使用してレベル表示具２０を回転させ上下方向に移動させる。
【先行技術文献】
【特許文献】
【０００４】
【特許文献１】特開２０１５−０９６６９３号公報
【特許文献２】特開２０１３−２３４５１３号公報
【発明の概要】
【発明が解決しようとする課題】
【０００５】
施工予定のコンクリート構造物の大きさにもよるが、例えば住宅用の基礎では１００〜４００本のレベル表示具が設置される。作業者は全てのレベル表示具の高さ調節を行う必要があるが、前記の通りレベル表示具は多数設置されるため、どのレベル表示具の調節を終えたのか分からなくなり、調節済みのレベル表示具と未調節のレベル表示具との見分けがつかなくなることがある。この問題を解決するため、例えば、高さ調節が完了したレベル表示具に作業者がペンやカッタなどで目印を付けることにより、調節済みのレベル表示具を未調節のレベル表示具と見分けるような方法も考えられる。しかしながら、この方法では、調節具によるレベル表示具の高さ調節と目印の付与という二つの作業を別々に行わなければならず、手間が掛かるという問題がある。また、作業者は、ペンやカッタといった目印を付与する道具を調節具とは別に所持していなければならず、煩わしいという問題もある。
【０００６】
本発明は上記課題に鑑みて成された発明であり、レベル表示具の高さ調節を行うことができると共に、調節済みのレベル表示具と未調節のレベル表示具とを見分けることを可能にする調節具用の調節補助具、及び当該調節補助具を備えた調節具を提供することを目的とする。
【課題を解決するための手段】
【０００７】
本発明は下記に掲げる態様の発明を提供する。
（項目１）
コンクリート及びレベリング材の少なくとも一方の打設目標高さの目印を示すレベル表示具の高さ調節を行う調節具用の調節補助具であって、
保持部と、
前記保持部に形成され、前記レベル表示具に係合する係合部と、
前記保持部に保持され、前記レベル表示具に接触して前記レベル表示具の外観を変化させる外観変化付与部と、
を備えることを特徴とする調節補助具。
（項目２）
前記外観変化付与部は、前記レベル表示具に外部から視認可能な目印を付与する、
項目１に記載の調節補助具。
（項目３）
前記外観変化付与部は前記保持部に着脱可能に保持されている、
項目１又は２に記載の調節補助具。
（項目４）
前記外観変化付与部は前記レベル表示具を着色する着色手段である、
項目１から３のいずれか１項に記載の調節補助具。
（項目５）
前記外観変化付与部は前記レベル表示具の形状を変化させる形状変化付与手段である、
項目１から３のいずれか１項に記載の調節補助具。
（項目６）
前記保持部は中空内部を有し、
前記外観変化付与部は、前記保持部の中空内部に保持されており、
前記保持部には、前記外観変化付与部の下端を外部から視認可能な貫通開口部が形成されている、
項目１から５のいずれか１項に記載の調節補助具。
（項目７）
ネジ部を有するレベル表示具本体と、前記レベル表示具本体に設けられ、コンクリート及びレベリング材の少なくとも一方の打設目標高さの目印を示す表示部と、を備えるレベル表示具を高さ調節するための調節具であって、
項目１から６のいずれか１項に記載の調節補助具と、
前記調節補助具を回転させる駆動部と、
を備える、
ことを特徴とする調節具。
【発明の効果】
【０００８】
本発明の調節補助具及び調節具では、レベル表示具の外観を変化させる外観変化付与部を備えているため、調節後のレベル表示具の外観を調節前とは異なるよう変化させることができる。これにより、調節済みのレベル表示具と調節前のレベル表示具とを区別することができるようになる。
【図面の簡単な説明】
【０００９】
【図１】本発明の調節具の正面図である。
【図２】（ａ）及び（ｂ）はそれぞれ本体部の正面図及び右側面図、（ｃ）は（ａ）の縦断面図である。
【図３】（ａ）は調節前のレベル表示具の斜視図、（ｂ）及び（ｃ）はそれぞれ調節具をレベル表示具に係合させた状態の正面図及び右側面図、（ｄ）は調節後のレベル表示具の斜視図である。
【図４】（ａ）及び（ｂ）は調節具の第二実施形態の本体部の部分縦断面図である。
【図５】（ａ）及び（ｂ）はそれぞれ外観変化付与部の変形例の正面図及び右側面図である。
【図６】（ａ）はレベル表示具の変形例の斜視図、（ｂ）及び（ｃ）はそれぞれ形状変化付与手段の変形例の正面図及び右側面図、（ｄ）及び（ｅ）はそれぞれ形状変化付与手段の別の変形例の正面図及び右側面図である。
【図７】（ａ）は本体部の変形例の正面図、（ｂ）は変形例の本体部を備えた調節具をレベル表示具に係合させた状態の正面図である。
【発明を実施するための形態】
【００１０】
本発明の調節具１について図面を参照しながら説明する。以下で説明する実施形態は、いずれも本発明の好ましい一具体例を示すものである。本発明は、以下の実施形態に限定されず、その主旨を逸脱しない範囲で適宜変更可能である。なお、以下では、図１の上及び下をそれぞれ調節具１の上及び下として説明し、特に断らない限り他の図面でも同様である。
【００１１】
＜第一実施形態＞
［レベル表示具］
本発明の調節具１の詳細を説明する前に、まず、図３（ａ）を参照してレベル表示具１００について説明する。図３（ａ）はレベル表示具１００の斜視図である。図３（ａ）に示すレベル表示具１００は、住宅などの基礎を施工する際に、コンクリート及びそのコンクリートの天端面に流されるレベリング材の打設目標高さを示す目印として使用される。レベル表示具１００は、上下方向に延びる棒状のレベル表示具本体１０１と、レベル表示具本体１０１の表面に形成された雄ネジ部１０２と、雄ネジ部１０２よりも上方に形成された第一表示部１０３と、第一表示部１０３よりも上方に形成された第二表示部１０４とを備える。
【００１２】
図３（ａ）に示すレベル表示具１００は二つの第一表示部１０３を備えている。二つの第一表示部１０３はレベル表示具本体１０１に対し対称位置に形成され且つレベル表示具本体１０１から横方向に延びている。第一表示部１０３はコンクリートの打設目標高さを示す目印として機能する。第二表示部１０４はレベル表示具本体１０１の頂部であり、コンクリートの天端面に流し込まれるレベリング材の打設目標高さを示す目印として機能する。第一表示部１０３と第二表示部１０４との上下方向間の間隔は、打設予定のレベリング材の厚みに合わせて予め設定されている。レベル表示具１００は、鉄筋Ｔ（図３（ａ）では横筋）に取り付けられた補助具２００に上下動可能に保持される。
【００１３】
［調節具］
図１、図２（ａ）から（ｃ）、図３（ｂ）及び（ｃ）を参照して、調節具１について説明する。図１は調節具１の正面図である。調節具１は、レベル表示具１００の高さ調節を行うため装置である。調節具１は、本体部２と、外観変化付与部３と、駆動部４とを備える。
【００１４】
図２（ａ）及び（ｂ）はそれぞれ本体部２の正面図及び右側面図であり、図２（ｃ）は図２（ａ）の縦断面図である。図３（ｂ）及び（ｃ）はそれぞれレベル表示具１００に調節具１を係合させた状態の正面図及び右側面図である。
【００１５】
本体部２は、外観変化付与部３を保持する保持部２１と、保持部２１から下方に延出し、レベル表示具１００に係合する係合部２２と、保持部２１に着脱可能に接続されたキャップ２３とを備える。係合部２２は保持部２１に一体的に形成されている。
【００１６】
図２（ｃ）に示すように、保持部２１はその内部が中空であり、その中空内部に外観変化付与部３が収容されている。
【００１７】
係合部２２は、保持部２１の中心軸に対して対称に二つ形成されている。図２（ａ）に示すように、係合部２２の下部内面には、下方に向かうにしたがい外方へ傾斜する第一案内面２２１が形成されている。図２（ｂ）に示すように、係合部２２の下部には、係合部２２の幅が下方に向かうにしたがい次第に縮小するよう、係合部２２の幅方向両端から中心に向けてそれぞれ傾斜する第二案内面２２２が形成されている。図３（ｃ）に示すように、各係合部２２は二つの第一表示部１０３間にそれぞれ挿入される。そのため、係合部２２の幅Ｗ（図２（ｂ）参照）は二つの第一表示部１０３の周方向間の間隔よりも小さくなっている。
【００１８】
図２（ｃ）に示すように、キャップ２３は、保持部２１の中空内部に挿入される挿入部２３１と、保持部２１の上端に載置されるフランジ部２３２と、フランジ部２３２から上方に延出する延出部２３３とを備える。挿入部２３１及び延出部２３３には、後述するシャフト４１を挿入するための凹部２３４が形成されている。凹部２３４は平面視において矩形状である。保持部２１及び挿入部２３１には凹部２３４と連通する貫通孔が形成されており、この貫通孔にはネジＳが挿入されている。挿入部２３１の貫通孔内周面にはネジ溝が形成されており、ネジＳはこのネジ溝と螺合している。これにより、キャップ２３は保持部２１に着脱可能に固定される。また、ネジＳはその先端が凹部２３４内に挿入されたシャフト４１に当接してシャフト４１を凹部２３４の内壁に押し付けることで、シャフト４１をキャップ２３に固定している。
【００１９】
図２（ｃ）を参照して、外観変化付与部３について説明する。本実施形態において、外観変化付与部３は、レベル表示具１００を着色する着色手段３Ａである。着色手段３Ａは、印字部３１と、吸蔵体３２と、枠体３３と、押さえ部材３４と、保護キャップ３５とを備える。着色手段３Ａとしては例えばシャチハタ（登録商標）などの浸透印やマーキングペンを利用することができる。
【００２０】
印字部３１はレベル表示具１００に接触する印面３１１を有している。印字部３１の中央には貫通孔３１２が形成されている。印字部３１は例えば多孔質ゴムから成る。吸蔵体３２は例えばスポンジから成り、着色成分を含有した着色物質を吸収して保持する。印字部３１及び吸蔵体３２は、吸蔵体３２が印字部３１の印面３１１とは反対側に接触した状態で枠体３３内に収容されており、枠体３３は保持部２１内に保持されている。印字部３１には吸蔵体３２から着色物質が供給され、印字部３１はレベル表示具１００に文字、図形又は記号などの有色の目印を付与する。着色物質はレベル表示具１００を着色可能であれば特に限定されず、例えば水性又は油性インキなどを使用することができる。着色物質の色はレベル表示具１００と同色でないことが好ましい。
【００２１】
保持部２１の下端（図２（ｃ）において破線で示す）と印字部３１の印面３１１との上下方向間の間隔Ｌは、第一表示部１０３と第二表示部１０４との上下方向間の間隔以下に設定されている。そのため、図３（ｂ）及び（ｃ）に示すように、係合部２２を二つの第一表示部１０３間に挿入した際、印面３１１は第二表示部１０４（レベル表示具本体１０１の頂部）に接触するようになっている。
【００２２】
押さえ部材３４は吸蔵体３２の上方に配置され、保持部３１内に保持されている。押さえ部材３４のうち吸蔵体３２の直上に配置される部分には、貫通孔３４１が形成されている。キャップ２３を保持部２１から外すと貫通孔３４１から吸蔵体３２の一部が露出する。この貫通孔３４１を介して、吸蔵体３２に着色物質を補充することが可能となっている。
【００２３】
保護キャップ３５は、印字部３１の印面３１１側に被せられており、保持部２１内に部分的に着脱可能に収容されている。保護キャップ３５は印面３１１を乾燥や汚れなどから保護している。
【００２４】
図１を参照して本体部２を回転駆動させるための駆動部４について説明する。駆動部４は、シャフト４１と、筒状のシャフトカバー４２と、ハンドル４３とを備える。シャフト４１は断面矩形状である。シャフト４１はシャフトカバー４２内に挿通されており、シャフトカバー４２内において回転可能に保持されている。シャフト４１の両端はシャフトカバー４２の両端からそれぞれ延出している。シャフト４１の一端部はキャップ２３の凹部２３４に挿入される。前記の通り凹部２３４内に挿入されたシャフト４１はネジＳによってキャップ２３に固定される（図２（ｃ）参照）。これによりシャフト４１とキャップ２３（本体部２）とは相対回転不能に且つ着脱可能に連結される。シャフト４１の他端部はハンドル４３に相対回転不能に固定されており、ハンドル４３の回転に伴いシャフト４１も回転するようになっている。
【００２５】
［調節具の使用方法及び作用効果］
調節具１の使用する際には、まず保護キャップ３５を取り外す。次に、図３（ｂ）及び（ｃ）に示すように、レベル表示具１００の二つの第一表示部１０３間に各係合部２２をそれぞれ挿入する。このとき、保持部２１の下端は第一表示部１０３の上面に接触し（図３（ｃ）参照）、印字部３１の印面３１１は第二表示部１０４に接触する。ハンドル４３を回転させるとシャフト４１が回転する。シャフト４１の回転に伴い、本体部２が回転すると共に係合部２２が第一表示部１０３に接触してレベル表示具１００を回転させる。これにより、レベル表示具１００の高さを調節して、第一表示部１０３及び第二表示部１０４を目標高さに合わせることができる。図３（ｄ）に示すように、調節済みのレベル表示具１０の第二表示部１０４には着色手段３Ａの印字部３１により有色の目印Ｍが付与される。この目印Ｍによりレベル表示具１００が調節済みであると判断することができる。
【００２６】
係合部２２の下部内面が第一案内面２２１を有していることにより、係合部２２を二つの第一表示部１０３間に挿入する際に、スムーズに挿入することができる。また、係合部２２の下部が第二案内面２２２を有していることにより、係合部２２を二つの第一表示部１０３間に挿入する際に、スムーズに挿入することができる。
【００２７】
＜第二実施形態＞
図４（ａ）及び（ｂ）を参照して調節具１の第二実施形態について説明する。上記で既に説明した構成要素については同一の符号を付し、その説明を省略すると共に相違点を中心に説明する。
【００２８】
図４（ａ）及び（ｂ）は本体部２の部分縦断面図である。第二実施形態における外観変化付与部３は、レベル表示具１００の形状を変化させる形状変化付与手段３Ｂである。
【００２９】
形状変化付与手段３Ｂは切欠き形成手段３６を備えており、切欠き形成手段３６は枠体３３に保持されている。切欠き形成手段３６は、レベル表示具１００に対して、外部から視認可能な位置に切欠きを形成することができる手段であれば特に限定されず、例えば、針（図４（ａ）参照）や刃（図４（ｂ）参照）などを使用することができる。保持部２１の下端（図４（ａ）及び（ｂ）において破線で示す）と切欠き形成手段３６の下端との上下方向間の間隔Ｌは、レベル表示具１００の第一表示部１０３と第二表示部１０４との上下方向間の間隔よりも小さくなっている。そのため、係合部２２を二つの第一表示部１０３間に挿入した際、切欠き形成手段３６は第二表示部１０４に接触するようになっている。これにより、調節後のレベル表示具１００の第二表示部１０４には目印Ｍとして穴や傷といった切欠きが形成され、第二表示部１０４の表面形状は調節前の表面形状とは異なっている。この目印Ｍによりレベル表示具１００が調節済みであると判断することができる。
【００３０】
＜変形例＞
以下では調節具１の変形例について説明する。上記で既に説明した構成要素については同一の符号を付し、その説明を省略すると共に相違点を中心に説明する。以下の変形例は適宜組み合わせ可能である。
【００３１】
［変形例１］
外観変化付与部３は本体部２に着脱可能に保持されていてもよい。すなわち、着色手段３Ａにおいて、印字部３１及び吸蔵体３２、それらを収容する枠体３３並びに押さえ部材３４は保持部２１に着脱可能に保持されていてもよい。また、形状変化付与手段３Ｂにおいて、切欠き形成手段３６、それを保持する枠体３３及び押さえ部材３４は保持部２１に着脱可能に保持されていてもよい。これにより、それらの部品が破損した場合に新品と交換することができる。
【００３２】
［変形例２］
上記では、外観変化付与部３により第二表示部１０４の外観を変化させる実施形態について説明したが、第二表示部１０４以外の外観を変化させるようにしてもよい。図５（ａ）及び（ｂ）はそれぞれ本体部２の変形例を示す正面図及び右側面図であり、外観変化付与部３の配置を変更した例を示している。なお、図５（ａ）及び（ｂ）では外観変化付与部３として着色手段３Ａを図示している。図５（ａ）及び（ｂ）に示すように、外観変化付与部３を、二つの係合部２２の周方向間の保持部２１外面に設け、係合部２２が二つの第一表示部１０３間に挿入された際に、外観変化付与部３が第一表示部１０３の上面に接触するようにしてもよい。これにより、第一表示部１０３の上面に、着色や切欠きによる目印Ｍを付与することができる。
【００３３】
［変形例３］
レベル表示具１００がレベル表示具本体１０１から除去可能な除去予定部を備えている場合、形状変化付与手段３Ｂはその除去予定部をレベル表示具本体１０１から除去するための切断手段３７であってもよい。切断手段３７は例えば刃である。
【００３４】
図６（ａ）に示すように、除去予定部１０５は、二つの第一表示部１０３の周方向間において、レベル表示具本体１０１に形成することができる。除去予定部１０５は、切断手段３７によって切断可能なよう、例えば薄片から構成することができる。図６（ｂ）及び（ｃ）に示すように、切断手段３７は、その先端が係合部２２よりも下方に延出した状態で、係合部２２の内面にネジＳにより着脱可能に取り付けられる。切断手段３７は、係合部２２の内面に限らず、例えば係合部２２の外面に取り付けられてもよい。係合部２２を二つの第一表示部１０３の間に挿入する際に、切断手段３７が除去予定部１０５に接触して除去予定部１０５を切断することができる。調節具１によって調節された後のレベル表示具１００には除去予定部１０５が存在していないため、調節後のレベル表示具１００の形状は調節前と比べて変化している。この形状の変化により、レベル表示具１００が調節済みであると判断することができる。
【００３５】
除去予定部は、二つの第一表示部１０３の一方であってもよい。除去予定の第一表示部１０３は、切断手段３７によって切断可能なよう、例えば薄片から構成することができる。切断手段３７は、図６（ｄ）及び（ｅ）に示すように、二つの係合部２２の周方向間の保持部２１内面に、先端が保持部２１の下端から下方に延出した状態で、ネジＳにより取り付けられる。切断手段３７は、保持部２１の内面に限らず、例えば保持部２１の外面に取り付けられてもよい。係合部２２を二つの第一表示部１０３の間に挿入する際に、切断手段３７が除去予定部として構成された第一表示部１０３に接触し、その第一表示部１０３を切断することができる。調節後のレベル表示具１００には、二つの第一表示部１０３のうちの一方の第一表示部１０３が存在していないため、調節後のレベル表示具１００の形状は調節前と比べて変化している。この形状の変化により、レベル表示具１００が調節済みであると判断することができる。
【００３６】
［変形例４］
調節具１はその構成を適宜変更することにより、ネジ式のレベル表示具１００以外にも、単に上下方向にスライドさせるだけで高さ調節を行うことができるレベル表示具、例えばレベルマーカー（株式会社東海建商製）などにも利用することができる。また、調節具１はその構成を適宜変更することにより、例えばレベリング材の打設目標高さの目印となる天端ビス（株式会社エヌ・エス・ピー製）にも利用することができる。
【００３７】
［変形例５］
図７（ａ）は本体部２の変形例を表す正面図である。図７（ａ）では保護キャップ３５は省略している。図７（ｂ）は、図７（ａ）に示す本体部２を備えた調節具１をレベル表示具１００と係合させた状態の正面図である。図７（ａ）に示すように、保持部２１には、調節具１及び本体部２の使用時に、少なくとも外観変化付与部３の下端を外部から視認するための貫通開口部２４が形成されていてもよい。なお、調節具１及び本体部２の非使用時、すなわち、保護キャップ３５が保持部２１に取り付けられている状態では、外観変化付与部３の下端は外部から視認できなくてもよい。
【００３８】
貫通開口部２４は、保持部２１を貫通し、保持部２１の中空内部と連通している。貫通開口部２４は、保持部２１の周方向において、係合部２２とはずらした位置に形成されている。本実施形態において、貫通開口部２４は上下方向に延びるスリット状であり、保持部２１の下端から、外観変化付与部３の下端（例えば、印面３１１）よりもわずかに上方の位置まで延びている。貫通開口部２４は、保持部２１の中心軸に対して対称に二つ形成されている。
【００３９】
図７（ｂ）に示すように、貫通開口部２４が形成されていることにより、貫通開口部２４を介して、外観変化付与部３の下端（印面３１１）とレベル表示具本体１０１の頂部（第二表示部１０４）とが接触しているかどうか外部から目視により確認することができる。また、保持部２１内、特に、外観変化付与部３の下端にゴミが存在していた場合、貫通開口部２４を介してゴミを除去することができる。
【００４０】
なお、貫通開口部２４は、外観変化付与部３の下端とレベル表示具本体１０１の頂部とが接触しているかどうか確認できる程度の大きさであればよく、必ずしも保持部２１の下端まで延びている必要はない。貫通開口部２４は、例えば係合部２２を通って上下方向に延びるよう形成されていてもよい。保持部２１に貫通開口部２４が設けられている場合、保護キャップ３５は、その上端が貫通開口部２４の上端よりも上方まで延出していてもよい。これにより、保護キャップ３５が保持部２１に取り付けられている状態では、保護キャップ３５により貫通開口部２４が塞がれるため、保持部２１内へのゴミの進入などを防止することができる。
【符号の説明】
【００４１】
１          調節具
２          本体部（調節補助具）
２１        保持部
２２        係合部
２４        貫通開口部
３          外観変化付与部
３Ａ        着色手段
３Ｂ        形状変化付与手段
４          駆動部
１００      レベル表示具
１０１      レベル表示具本体
１０２      雄ネジ部（ネジ部）
１０３      第一表示部
１０４      第二表示部
Ｍ          目印
【図１】
2019116820.tif 000003
【図２】
2019116820.tif 000004
【図３】
2019116820.tif 000005
【図４】
2019116820.tif 000006
【図５】
2019116820.tif 000007
【図６】
2019116820.tif 000008
【図７】
2019116820.tif 000009